(57)【要約】【課題】全閉位置におけるシャッタ部材のがたつきを抑え、シャッタ部材によって開口部を確実に閉塞することができるディスクカートリッジを提供する。【解決手段】一対のシャッタ部材６の各々は、カートリッジ本体に設けられたカム軸１３に摺動自在に係合してシャッタ部材６をカートリッジ本体の開口部の全開位置から全閉位置まで案内するためのスリット５２が形成され、このスリット５２は、カム軸１３の軸径以上、且つ、カム軸１３の軸径＋０．１ｍｍ以下の幅の幅狭部５２Ａと、この幅狭部５２Ａよりも幅広の一般部５２Ｂと、を有し、幅狭部５２Ａは、シャッタ部材６の全閉位置におけるカム軸１３の両端からスリット５２の長手方向両側に１〜３ｍｍの長さを有して形成されている。【選択図】図７
2006323970.tif 000002
【特許請求の範囲】
【請求項１】
上シェル及び下シェルを備え、該上シェル及び下シェルの少なくとも一方にディスクアクセスを可能とする開口部が形成されたカートリッジ本体と、ディスク状記録媒体を載置可能に形成されて前記カートリッジ本体内に回動可能に配設されたディスクトレイと、該ディスクトレイに回動可能に軸支されて前記カートリッジ本体の開口部を開閉可能な一対のシャッタ部材と、を有してなるディスクカートリッジであって、前記一対のシャッタ部材の各々は、前記カートリッジ本体に設けられたカム軸に摺動自在に係合して前記シャッタ部材を前記カートリッジ本体の開口部の開位置から閉位置まで案内するためのスリットを有し、該スリットは、前記カム軸の軸径以上で、且つ、前記カム軸の軸径＋０．１ｍｍ以下の幅の幅狭部と、該幅狭部よりも幅広の一般部と、を有し、前記幅狭部は、前記シャッタ部材の開位置における前記カム軸の両端から前記スリットの長手方向両側に１〜３ｍｍの長さを有して形成されていることを特徴とするディスクカートリッジ。
【発明の詳細な説明】
【技術分野】
【０００１】
本発明は、カートリッジ本体内に収容されたディスク状記録媒体に対してディスクアクセスが可能に構成されたディスクカートリッジに関する。
【背景技術】
【０００２】
従来、この種のディスクカートリッジの一つとして、上シェル及び下シェルを備え、該上シェル及び下シェルの少なくとも一方にディスクアクセスを可能とする開口部が形成されたカートリッジ本体と、ディスク状記録媒体を載置可能に形成されて前記カートリッジ本体内に回動可能に配設されたディスクトレイと、該ディスクトレイに回動可能に軸支されて前記カートリッジ本体の開口部を開閉可能な一対のシャッタ部材と、を有してなるディスクカートリッジが広く知られている（例えば、特許文献１参照）。
【０００３】
図１０〜図１２に、このような従来公知のディスクカートリッジに適用されるシャッタ部材の一例を示す。なお、図１０はシャッタ部材の略示平面図、図１１はシャッタ部材によってディスクカートリッジ本体の開口部を閉塞した状態における各部材を透過表示した略示平面図、図１２は図１１におけるシャッタ部材のスリット周辺を拡大して示した略示部分拡大図である。
【０００４】
同図に示されるように、シャッタ部材１００には、カートリッジ本体１０２に設けられたカム軸１０４に摺動自在に係合してシャッタ部材１００をカートリッジ本体１０２の開口部１０６の全開位置から全閉位置まで案内するためのスリット１０８が形成されている。
【０００５】
【特許文献１】特開２００３−１２３４２６号公報
【発明の開示】
【発明が解決しようとする課題】
【０００６】
しかしながら、従来のシャッタ部材１００では、カートリッジ本体１０２のカム軸１０４とスリット１０８との間に僅かながたつきが生じ、全閉位置にあるシャッタ部材１００がカートリッジ本体１０２に対して僅かに移動（回動）することがあった。そのため、一対のシャッタ部材１００の間に僅かな隙間が形成されることがあり、カートリッジ本体１０２内に塵埃が侵入するおそれがあった。
【０００７】
本発明は、このような問題点を解決するためになされたものであって、全閉位置におけるシャッタ部材のがたつきを抑え、シャッタ部材によって開口部を確実に閉塞することができるディスクカートリッジを提供することを目的とする。
【課題を解決するための手段】
【０００８】
本発明の発明者は、鋭意研究の結果、カートリッジ本体内への塵埃の侵入原因が、シャッタ部材のスリットの構造にあることを見出した。
【０００９】
即ち、次のような本発明により、上記目的を達成することができる。
【００１０】
（１）上シェル及び下シェルを備え、該上シェル及び下シェルの少なくとも一方にディスクアクセスを可能とする開口部が形成されたカートリッジ本体と、ディスク状記録媒体を載置可能に形成されて前記カートリッジ本体内に回動可能に配設されたディスクトレイと、該ディスクトレイに回動可能に軸支されて前記カートリッジ本体の開口部を開閉可能な一対のシャッタ部材と、を有してなるディスクカートリッジであって、前記一対のシャッタ部材の各々は、前記カートリッジ本体に設けられたカム軸に摺動自在に係合して前記シャッタ部材を前記カートリッジ本体の開口部の全開位置から全閉位置まで案内するためのスリットを有し、該スリットは、前記カム軸の軸径以上、且つ、前記カム軸の軸径＋０．１ｍｍ以下の幅の幅狭部と、該幅狭部よりも幅広の一般部と、を有し、前記幅狭部は、前記シャッタ部材の全開位置における前記カム軸の両端から前記スリットの長手方向両側に１〜３ｍｍの長さを有して形成されていることを特徴とするディスクカートリッジ。
【発明の効果】
【００１１】
本発明に係るディスクカートリッジによれば、全閉位置におけるシャッタ部材のがたつきを抑え、シャッタ部材によって開口部を確実に閉塞することができるという優れた効果を有する。
【発明を実施するための最良の形態】
【００１２】
本発明に係るディスクカートリッジは、上シェル及び下シェルを備え、該上シェル及び下シェルの少なくとも一方にディスクアクセスを可能とする開口部が形成されたカートリッジ本体と、ディスク状記録媒体を載置可能に形成されて前記カートリッジ本体内に回動可能に配設されたディスクトレイと、該ディスクトレイに回動可能に軸支されて前記カートリッジ本体の開口部を開閉可能な一対のシャッタ部材と、を有してなるディスクカートリッジであって、前記一対のシャッタ部材の各々は、前記カートリッジ本体に設けられたカム軸に摺動自在に係合して前記シャッタ部材を前記カートリッジ本体の開口部の全開位置から全閉位置まで案内するためのスリットを有し、該スリットは、前記カム軸の軸径以上、且つ、前記カム軸の軸径＋０．１ｍｍ以下の幅の幅狭部と、該幅狭部よりも幅広の一般部と、を有し、前記幅狭部は、前記シャッタ部材の全開位置における前記カム軸の両端から前記スリットの長手方向両側に１〜３ｍｍの長さを有して形成されていることによって、全閉位置におけるシャッタ部材のがたつきを抑え、シャッタ部材によって開口部を確実に閉塞することができるようにしたものである。
【００１３】
なお、本発明に係る「ディスク状記録媒体」としては、書き換え型の光ディスク、再生専用タイプの光ディスク、追記型の光ディスクなどの各種の光ディスクの他、光磁気ディスクや磁気ディスクなどを挙げることができる。
【００１４】
以下、図面を用いて、本発明の実施例に係るディスクカートリッジについて詳細に説明する。
【実施例】
【００１５】
図１及び図２に示されるように、本実施例に係るディスクカートリッジ１は、互いに嵌合可能に形成された下シェル３及び上シェル４を備えたカートリッジ本体２と、ディスクトレイ５と、一対のシャッタ部材６とを有して構成されており、各種記録データの記録及び再生が可能に構成されたカートリッジ式の情報記録媒体である。なお、図２では、本発明についての理解を容易とするために、ディスクカートリッジ１の厚み方向のサイズを誇張して厚く図示している。
【００１６】
カートリッジ本体２の下シェル３は、図３に示されるように、一対の下シェル本体１１ａ，１１ｂを備えて、一例として、ポリカーボネート（または、ＡＢＳ樹脂等）を用いて射出成形されている。具体的には、下シェル３（下シェル本体１１ａ，１１ｂ）は、底板１２ａと、底板１２ａの外縁部に立設されてカートリッジ本体２の側面部分を構成する側壁１２ｂと、カートリッジ本体２内にディスク収容部を形成する隔壁１２ｃとを有して構成されている。又、下シェル３は、上シェル４に嵌合させた状態（上シェル４に重ね合わせて一体化させた状態）において、両下シェル本体１１ａ，１１ｂにおける底板１２ａの間にディスクアクセス用の開口部１５が形成されるように構成されている。なお、本実施例の開口部１５は、記録データの記録再生時において、カートリッジ本体２内の光ディスク１０に対するディスクアクセス（記録再生装置によるクランプや、光学ヘッドを介してのレーザービームの照射等）が可能となるようにその開口幅及び開口長等が規定されている。
【００１７】
具体的には、図３に示すように、開口部１５は、下シェル３の一方の外縁部（同図における上側の縁部）から中心部を挟んで対向する他方の外縁部（同図における下側の縁部）に亘る帯状となるように形成されている。これにより、開口部１５は、カートリッジ本体２内に収容された状態の光ディスク１０における中心孔１０ａの周囲を含む中心部領域を挟んで互いに対向する一対の外縁部領域間に亘る帯状の領域を露出可能な形状及び大きさとなっている。この構成により、このディスクカートリッジ１では、２つの光学ヘッドを同時に用いて光ディスク１０に対する記録データの記録及び再生を行うことが可能となっている。また、両下シェル本体１１ａ，１１ｂの各底板１２ａには、シャッタ部材６のスリット５２（図６参照）に挿入されて、後述するようにディスクトレイ５の回動に伴ってシャッタ部材６をスライドさせるための回動用カム軸（以下、「カム軸」ともいう）１３がそれぞれ立設されている。更に、両下シェル本体１１ａ，１１ｂの各底板１２ａには、底板１２ａにおける開口部１５側の縁部をカートリッジ本体２の内側に向けて突出された凸部１４がそれぞれ１カ所ずつ形成されている。
【００１８】
カートリッジ本体２の上シェル４は、図４に示されるように、天板２２ａと、天板２２ａの外縁部に立設されて下シェル３の側壁１２ｂと相俟ってカートリッジ本体２の側面部分を構成する側壁２２ｂと、下シェル３の隔壁１２ｃと相俟ってカートリッジ本体２内にディスク収容部を形成する隔壁２２ｃとを有して構成されており、本実施例では、透過性を有するポリカーボネートを用いて射出成形されている。又、上記図２に示されるように、上シェル４の中央部には、リング状の取付け部材１０ｃによってクランピングプレート１０ｂが取り付けられている。この場合、クランピングプレート１０ｂは、上シェル４に対して回転可能で、天板２２ａに対する接離方向で僅かに移動可能に取り付けられている。
【００１９】
カートリッジ本体２の内部には、上記図２に示されるように、光ディスク１０が収納される。本実施例の光ディスク１０は、片面仕様の書き換え型のディスク状記録媒体であって、同図に示すように、その中心部には、記録再生装置（図示省略）にクランプさせるための直径１５ｍｍ程度の中心孔１０ａが形成されている。この光ディスク１０は、上シェル４に取り付けられた円板状のクランピングプレート１０ｂが記録再生装置によって下シェル３側に引き寄せられることによって記録再生装置にクランプされる。
【００２０】
ディスクトレイ５は、図５に示されるように、開口部３５が形成された円板状の底板３１と、底板３１の外縁部に立設されたリング状の側壁３２とで光ディスク１０を載置可能な浅皿状に形成されて、上記図２に示されるように、光ディスク１０と共にカートリッジ本体２内に回動可能に収容されている。又、開口部３５は、下シェル３における開口部１５の幅とほぼ同じ幅となるように形成されている。なお、同図では、開口部１５の口縁部を一点鎖線で図示している。
【００２１】
又、ディスクトレイ５の底板３１の下面には、シャッタ部材６を軸支するための支持軸３３が立設されている。この支持軸３３は、図９に示されるように、ディスクアクセスを規制する規制状態の時に下シェル本体１１ａ，１１ｂにおける開口部１５側の口縁部近傍において重なるディスクトレイ５の所定位置でシャッタ部材６を軸支する。又、側壁３２には、図示しない記録再生装置のシャッタ開閉機構が噛合可能な噛合用歯部３４が形成されている。
【００２２】
シャッタ部材６は、図６に示されるように、一端部にディスクトレイ５の支持軸３３を挿通可能な軸受孔５１が形成されると共に、他端部側に下シェル３のカム軸１３（図９参照）に摺動自在に係合してシャッタ部材６を下シェル３の開口部１５の全開位置から全閉位置まで案内するためのスリット５２が形成されている。
【００２３】
このスリット５２は、図７に拡大して示されるように、幅Ｌ１の幅狭部５２Ａと、この幅狭部５２Ａよりも幅広の一般部５２Ｂと、を有して構成されている。
【００２４】
幅狭部５２Ａは、一対のシャッタ部材６の全閉位置におけるカム軸１３（図７に２点鎖線で図示）の両端からスリット５２の長手方向両側に長さＴを有して形成されている。なお、図７では、本発明についての理解を容易とするために、長さＴのサイズを誇張して長く図示している。この幅狭部５２Ａの幅Ｌ１は、カム軸１３の軸径以上、且つ、カム軸１３の軸径＋０．１ｍｍ以下に設定されると共に、幅狭部５２Ａにおける長さＴは、１〜３ｍｍ（好ましくは２ｍｍ）に設定される。なお、一般部５２Ｂの幅Ｌ２の寸法は特に限定されないが、シャッタ部材６の回動をスムーズにし、且つ、回動中のがたつきを抑えるためには、幅Ｌ２は、カム軸１３の軸径＋０．１ｍｍ以上、且つ、カム軸１３の軸径＋０．２ｍｍ以下に設定されることが好ましい。
【００２５】
図６に戻って、シャッタ部材６における軸受孔５１の近傍には、突出部５３が形成されている。この突出部５３は、規制状態となるようにディスクトレイが回動させられたときに、ディスクトレイ５の回動が完了するのに先立って凸部１４に当接すると共にその状態からディスクトレイ５の回動が完了するまでの間に凸部１４に向けて押し付けられる力が徐々に大きくなるように形成されている。更に、シャッタ部材６は、軸受孔５１にディスクトレイ５の支持軸３３を挿通させることによってディスクトレイ５に対して回動可能に軸支された状態で、図２に示すように、下シェル３とディスクトレイ５との間に挟み込まれるようにしてカートリッジ本体２内に収容されている。
【００２６】
次に、ディスクカートリッジ１の使用方法について詳細に説明する。
【００２７】
このディスクカートリッジ１は、図１に示すように、記録再生装置から取り外されている状態において、下シェル３の開口部１５が、ディスクトレイ５とシャッタ部材６とによって閉塞されて、カートリッジ本体２内の光ディスク１０に対するディスクアクセスが規制されている。具体的には、開口部１５における長手方向両端部側の領域（光ディスク１０の外縁部側を露出させるための開口部位）がディスクトレイ５の底板３１によって閉塞されると共に、開口部１５における長手方向中央部の領域（光ディスク１０における中心孔１０ａの近傍を露出させるための開口部位）がシャッタ部材６によって閉塞される。この結果、ディスクトレイ５及びシャッタ部材６によって開口部１５の全域が閉塞される。
【００２８】
一方、ディスクカートリッジ１の使用（記録データの記録再生）に際しては、ディスクカートリッジ１を記録再生装置に装填する。この際には、ディスクカートリッジ１をある程度押し込んだ際に記録再生装置が図１に示す矢印Ｉの向きでディスクカートリッジ１を装置内部に引き込む。なお、同図では下シェル３を上向きにした状態を図示しているが、実際の使用に際しては、上シェル４を上向きにした状態で記録再生装置に装填する。この際には、まず、記録再生装置のシャッタ開閉機構がロック部材７に当接した際にロック部材７によるディスクトレイ５の回動規制が解除される。次いで、ディスクカートリッジ１が記録再生装置内に更に引き込まれた際には、シャッタ開閉機構がディスクトレイ５の噛合用歯部３４に噛合して、この状態でディスクカートリッジ１が更に引き込まれることによってディスクトレイ５が図１に示す矢印Ｂ１の向きでカートリッジ本体２に対して回動させられる。この際には、ディスクトレイ５の回動に伴い、下シェル３のカム軸１３がシャッタ部材６のスリット５２内を相対的にスライドすることにより、シャッタ部材６が軸受孔５１（ディスクトレイ５の支持軸３３）を中心としてディスクトレイ５に対して回動させられて下シェル３に対してスライドさせられる。これにより、下シェル３の開口部１５とディスクトレイ５の開口部３５とがディスクカートリッジ１の厚み方向において連通すると共に、シャッタ部材６が開口部３５上から退避してカートリッジ本体２内の光ディスク１０に対するディスクアクセスが許容される。この後、記録再生装置によってクランピングプレート１０ｂが磁気的に吸引されて中心孔１０ａの口縁部（中心部領域）がクランプされ、開口部１５を介してのレーザービームの照射（記録データの記録または再生）が実行される。
【００２９】
又、記録データの記録再生を完了したディスクカートリッジ１を記録再生装置から取り出した際（排出した際）には、下シェル３の開口部１５がディスクトレイ５とシャッタ部材６とによって閉塞されて、規制状態となる。具体的には、記録再生装置から排出される際に、シャッタ開閉機構によってディスクトレイ５が図８に示す矢印Ｂ２の向きで回動させられると共に、その回動に伴ってシャッタ部材６がディスクトレイ５に対して回動させられて下シェル３に対してスライドさせられる。そして、シャッタ部材６が開口部１５の中央部領域を閉塞する全閉位置までスライドさせられ、最終的には、図９に示されるように、一対のシャッタ部材６が互いに密着し合って開口部１５が完全に閉塞される。なお、下シェル３の開口部１５が完全に閉塞された状態においては、上記図７に示されるように、下シェル３のカム軸１３がシャッタ部材６のスリット５２の幅狭部５２Ａに位置することになる。
【００３０】
本実施例に係るディスクカートリッジ１によれば、一対のシャッタ部材６の各々は、カートリッジ本体（本実施例では下シェル３）に設けられたカム軸１３に摺動自在に係合してシャッタ部材６をカートリッジ本体の開口部１５の全開位置から全閉位置まで案内するためのスリット５２を有し、このスリット５２は、カム軸１３の軸径以上、且つ、カム軸１３の軸径＋０．１ｍｍ以下の幅の幅狭部５２Ａと、この幅狭部５２Ａよりも幅広の一般部５２Ｂとを有し、幅狭部５２Ａは、シャッタ部材６の全閉位置におけるカム軸１３の両端からスリット５２の長手方向両側に１〜３ｍｍの長さを有して形成されているため、全閉位置におけるシャッタ部材がカートリッジ本体に対して回動するのを防止することができる。そのため、全閉位置におけるシャッタ部材のがたつきを抑え、シャッタ部材によって開口部を確実に閉塞することができる。
【００３１】
なお、本発明におけるディスク状記録媒体としては、実施例における書き換え型の光ディスク１０に限定されず、再生専用タイプの光ディスクや、追記型の光ディスクなどの各種の光ディスクが含まれるだけではなく、光磁気ディスクや磁気ディスクも含まれる。
【００３２】
又、実施例におけるディスクカートリッジ１では、別個独立した下シェル本体１１ａ，１１ｂを有する下シェル３を備えてカートリッジ本体２が構成される例について説明したが、本発明はこれに限定されず、従来のディスクカートリッジのように、単一の下シェルを有するカートリッジ本体を備えたディスクカートリッジに適用することができる。
【００３３】
更に、本発明におけるディスクアクセス用の開口部の開口形状は、上記実施例のようにカートリッジ本体２の前後方向に長い長方形形状の開口形状に限定されるものではなく、カートリッジ本体の左右方向に長い長方形形状の開口形状や、方形形状のカートリッジ本体における対角線方向に長い長方形形状の開口形状であってもよい。
【００３４】
又、開口部を下シェル３に形成したが、上シェル及び下シェルの少なくとも一方にディスクアクセスを可能とする開口部が形成されていればよい。
【図面の簡単な説明】
【００３５】
【図１】本実施例１に係るディスクカートリッジの外観斜視図
【図２】図１におけるＸ−Ｘ線に沿う略示側断面図
【図３】本実施例１に係るディスクカートリッジの下シェルを内面側から見た略示平面図
【図４】同ディスクカートリッジの上シェルを内面側から見た略示平面図
【図５】同ディスクカートリッジのディスクトレイを下シェル側から見た略示平面図
【図６】同ディスクカートリッジのシャッタ部材を下シェル側から見た略示平面図
【図７】同シャッタ部材におけるスリット周辺を拡大して示す略示部分拡大図
【図８】規制状態となるようにディスクトレイを回動させている状態におけるディスクカートリッジの各部材を透過表示した略示平面図
【図９】本実施例１に係るシャッタ部材によってディスクカートリッジ本体の開口部を閉塞した状態における各部材を透過表示した略示平面図
【図１０】従来のシャッタ部材の略示平面図
【図１１】同シャッタ部材によってディスクカートリッジ本体の開口部を閉塞した状態における各部材を透過表示した略示平面図
【図１２】同シャッタ部材におけるスリット周辺を拡大して示す略示部分拡大図
【符号の説明】
【００３６】
Ｌ１、Ｌ２…幅
Ｔ…長さ
１…ディスクカートリッジ
２、１０２…カートリッジ本体
３…下シェル
４…上シェル
５…ディスクトレイ
６、１００…シャッタ部材
１０…光ディスク
１１ａ、１１ｂ…下シェル本体
１２ａ、３１…底板
１２ｂ、３２…側壁
１２ｃ…隔壁
１３、１０４…カム軸
１５、３５、１０６…開口部
３３…支持軸
５１…軸受孔
５２、１０８…スリット
５２Ａ…幅狭部
５２Ｂ…一般部
【図１】
2006323970.tif 000003
【図２】
2006323970.tif 000004
【図３】
2006323970.tif 000005
【図４】
2006323970.tif 000006
【図５】
2006323970.tif 000007
【図６】
2006323970.tif 000008
【図７】
2006323970.tif 000009
【図８】
2006323970.tif 000010
【図９】
2006323970.tif 000011
【図１０】
2006323970.tif 000012
【図１１】
2006323970.tif 000013
【図１２】
2006323970.tif 000014